(57)【要約】【課題】電気機器のボタン構造について、飲料水等の液体が電気機器の内部に侵入した場合に、乾燥後に付着した糊状の成分によって、ボタン操作の不具合が生じるのを防止することを目的とする。【解決手段】本発明の電気機器のボタン構造は、複数個の操作ボタン６、各操作ボタン６の根元全周に形成された薄肉部８を有するラバーシート５、ボタン６の取出孔４を有し、取出孔４から操作ボタン６を外に突出させた状態でラバーシート５を内蔵するケース２を備えて構成され、薄肉部８の外面は取出孔４から露出していることを特徴とする。【選択図】  図１
2008310971.tif 000002
【特許請求の範囲】
【請求項１】
複数個の操作ボタンと、各前記操作ボタンの根元全周に形成された薄肉部と、を有するラバーシートと、
前記操作ボタンの取出孔を有し、前記取出孔から前記操作ボタンを外に突出させた状態で前記ラバーシートを内蔵するケースと、を備え、
前記薄肉部の外面は前記取出孔から露出していることを特徴とする、電気機器のボタン構造。
【請求項２】
前記薄肉部の前記外面は、前記ケースの外面と面一に配置されることを特徴とする、請求項１に記載の電気機器のボタン構造。
【発明の詳細な説明】
【技術分野】
【０００１】
この発明は、電気機器のボタン構造に関する。
【背景技術】
【０００２】
従来の電気機器に関し、特にリモコンのボタン構造の一例が、例えば特許文献１に示されている。
【０００３】
特許文献１における図１はリモコンの断面図を示し、リモコン１は、上下に２つ割りされたプラスチック製のアッパーケース２とロアケース３を備える。アッパーケース２は、操作部として複数個の取出孔４が設けられ、ケース内側にラバーシート５が内蔵されている。ラバーシート５は、シート本体裏面に導電ゴム７を備えた複数個の操作ボタン８を突出して形成され、この操作ボタン８は取出孔４から外に突出され操作可能に取付けられる。ラバーシート５の操作ボタン８の根元全周には、操作時の動作力・復帰力を得る為の薄肉部を有している。この薄肉部はアッパーケース２に覆い隠されている。
【０００４】
ロアケース３には、電池を収容する電池ケース１０と共に回路基板１２が設置される。回路基板１２は、多数の部品を搭載して回路が形成され、特に導電ゴム７と一致する箇所にスイッチが形成されて、ボタン操作に応じた信号を送るようになっている。また、ラバーシート５は回路基板１２を覆うように配置されている。
【０００５】
このような構成で成立するリモコンを使用する時、不慮の行為でリモコン操作部に清涼飲料水や果汁入りの飲料水が掛かった場合、アッパーケース２の取出孔４と操作ボタン８との隙間からケース内部に液体が侵入する。このとき、ラバーシート５が回路基板１２を覆うように配置されているため、回路基板１２の表面に直接液体が付着することはなく、リモコンの電気的な機能が損なわれることはない。その他の防水に係るリモコンの先行技術として、特許文献２〜５などがある。
【０００６】
【特許文献１】特開平８−３３１６７３号公報
【特許文献２】特開平８−３３１６７４号公報
【特許文献３】特開平１０−２８５６７０号公報
【特許文献４】特開２００１−１４３５６３号公報
【特許文献５】特開２００２−２８１５７５号公報
【発明の開示】
【発明が解決しようとする課題】
【０００７】
しかしながら、ケース内部に侵入した液体は時間経過とともに乾燥し、水分中の糖分などの成分が特許文献１の図１に示した操作ボタン８の側壁や、取出孔４の側壁に糊状に付着する。操作ボタン８と取出孔４の全周隙間は通常０．５ｍｍ以下の狭い隙間であることから、操作ボタン８の操作時の姿勢によっては、操作ボタン８の動作（回路基板１２に対し垂直方向に上下する動作）時に、側壁同士がくっ付き合い大きな摩擦抵抗となりうる。このような状態におけるボタン操作では、例えば押し込んだ操作ボタン８が押し込まれたまま復帰せず、該ボタンに対応する機能の信号のみが出力され続け、他の操作ボタンを押してもその機能の信号が出力されないといった不具合を引き起こす問題があった。特許文献２〜５についても、同様の問題については解決されていない。
【０００８】
本発明はこのような問題を解決するためになされたもので、電気機器のボタン構造について、飲料水等の液体が電気機器の内部に侵入した場合に、乾燥後に付着した糊状の成分によってボタン操作の不具合が生じるのを防止することを目的とする。
【課題を解決するための手段】
【０００９】
本発明の電気機器のボタン構造は、複数個の操作ボタン、各操作ボタンの根元全周に形成された薄肉部を有するラバーシート、ボタンの取出孔を有し、取出孔から操作ボタンを外に突出させた状態でラバーシートを内蔵するケースを備えて構成され、薄肉部の外面は取出孔から露出していることを特徴とする。
【発明の効果】
【００１０】
電気機器のボタン構造について、操作ボタンの根元全周に形成されたラバーシートの薄肉部をケースで覆い隠さないように外面に露出させたので、清涼飲料水のような液体が電気機器の操作ボタン部にこぼれたとしても、乾燥後に付着した糊状の成分によって操作ボタンの動作に不具合が生じるのを防止することが可能である。
【発明を実施するための最良の形態】
【００１１】
以下、この発明をその実施の形態を示す図面に基づいて具体的に説明する。
【００１２】
＜実施の形態１＞
（構成）
本実施の形態に係る電気機器のボタン構造を説明する。図２はリモコン装置の全体図、図１は図２のＡ−Ａ’部分の断面図を示す。
【００１３】
図１，２に示すように、リモコン本体１は、上下に２つ割りされた細長いプラスチック製のアッパーケース２とロアケース３を備える。アッパーケース２は、操作部として複数個の取出孔４が設けられ、ケース内側にラバーシート５を内蔵する。ラバーシート５は、導電ゴム７を備えた複数個の操作ボタン６が突出して形成され、操作ボタン６はアッパーケース２の取出孔４から外に突出される。
【００１４】
それぞれの操作ボタン６の根元全周には、操作時の復帰力を得る為の薄肉部８を有している。操作ボタン６および薄肉部８はラバーシート５と一体に成形されている。また、この操作ボタン６及び薄肉部８は、図示のとおりアッパーケース２の複数個の取出孔４に収まる大きさのボタンベース部９上に形成されており、薄肉部８の外面は取出孔４から露出されている。
【００１５】
ロアケース３には、回路基板１０が設置される。回路基板１０には、図示していないが多数の部品を搭載して回路が形成され、特に導電ゴム７と一致する箇所にスイッチ１１が形成されて、ボタン操作に応じた信号を送るようになっている。また、ラバーシート５は回路基板１０に対して防水機能を有する構造となっている。
【００１６】
（動作）
次に、清涼飲料水や果汁入りの飲料水等の液体をリモコン操作部にこぼした場合の動作の説明を行う。
【００１７】
図１、２に示したリモコン本体１において、アッパーケース２の取出孔４とラバーシート５のボタンベース部９の隙間から、液体がリモコンケース内部に侵入する。時間経過とともに飲料水が乾燥し、糖分等の成分が取出孔４とボタンベース部９との隙間に糊状に付着する。もちろん、操作ボタン６や薄肉部８操作側にも付着する。
【００１８】
（効果）
電気機器１のボタン構造について、操作ボタン６及び操作ボタン６の根元全周に形成された薄肉部８をアッパーケース２で覆い隠さないように外面に露出させたので、付着した糊状の物質が、操作ボタン６の動作や薄肉部８の変形に対して何ら影響を与えない。従って、押し込んだ操作ボタン６が押し込まれたまま復帰しないなどの不具合を生じさせないことが可能である。なお、本発明は、全ての家庭用電気機器に使用されるリモコン等のボタン操作部分に有効に適用できる。
【００１９】
＜実施の形態２＞
（構成）
本実施の形態に係る電気機器のボタン構造を説明する。図４は本実施の形態に係るリモコン装置の全体図、図３は図４のＢ−Ｂ’部分の断面図を示す。
【００２０】
本実施の形態においては、ラバーシート５に突出して形成された複数個の操作ボタン６の根本全周に設けられた薄肉部８の外面が、アッパーケース２の外面と面一に配置されている。その他の構成は実施の形態１と同様であるため、ここでの詳細な説明は省略する。
【００２１】
（動作）
次に、清涼飲料水や果汁入りの飲料水等の液体をリモコン操作部にこぼした場合の動作の説明を行う。
【００２２】
図３、４に示した装置１において、実施の形態１と同様にアッパーケース２の取出孔４とラバーシート５のボタンベース部９の隙間から、液体がリモコンケース内部に侵入する。時間経過とともに飲料水が乾燥し、糖分等の成分が取出孔４とボタンベース部９との隙間に糊状に付着する。もちろん、操作ボタン６や薄肉部８操作側にも付着する。
【００２３】
（効果）
実施の形態１と同様に、操作ボタン６及び操作ボタン６の根元全周に形成された薄肉部８をアッパーケース２で覆い隠さないように外面に露出させたので、付着した糊状の物質が、操作ボタン６の動作や薄肉部８の変形に対して何ら影響を与えず、押し込んだ操作ボタン６が押し込まれたまま復帰しないなどの不具合を生じさせないことが可能である。
【００２４】
また、薄肉部８が水平に配置されており、アッパーケース２の外面と面一であるため、表面に付着した液体のふき取りが容易である。さらに、薄肉部８を水平にしたことで意匠外観上優れたものが得られることが期待できる。
【図面の簡単な説明】
【００２５】
【図１】本発明の実施の形態１に係るリモコン装置の断面図である。
【図２】本発明の実施の形態１に係るリモコン装置の全体図である。
【図３】本発明の実施の形態２に係るリモコン装置の断面図である。
【図４】本発明の実施の形態２に係るリモコン装置の全体図である。
【符号の説明】
【００２６】
１  リモコン本体、２  アッパーケース、３  ロアケース、４  取出孔、５  ラバーシート、６  操作ボタン、７  導電ゴム、８  薄肉部、９  ボタンベース部、１０  回路基板、１１  スイッチ。
【図１】
2008310971.tif 000003
【図２】
2008310971.tif 000004
【図３】
2008310971.tif 000005
【図４】
2008310971.tif 000006